(57)【要約】【課題】浴室暖房乾燥機本体１のユニットバスＵＢへの取付作業の容易化を目的とする。【解決手段】この取付装置１０は、乾燥機本体１を吊り下げる水平フレーム２１と、この水平フレーム２１を両側から支える縦フレーム部２２と、縦フレーム部２２を支持し横方向に延びる左右フレーム２３を備え、水平フレーム２１に乾燥機本体１を吊り下げた状態で、ユニットバスＵＢの天井面ＣＥに載置される。  また、天井面ＣＥに載置される左右フレーム２３をユニットバスＵＢの両端まで延ばすとともに、中央側ほど上方に持上がるように形成することで、天井面ＣＥを変形させることなく乾燥機本体１を安定して載置することができる。  この結果、乾燥機本体１をコンクリートスラブに吊り下げる必要がなく、位置調整も非常に簡単となり省施工を図ることができる。【選択図】図１
2005133960.tif 000002
【特許請求の範囲】
【請求項１】
ユニットバスの天井面に形成された開口部に臨ませて、該ユニットバスの天井裏に浴室暖房乾燥機を設置する浴室暖房乾燥機の取付装置において、
浴室暖房乾燥機本体を吊り下げる水平フレームと、
上記水平フレームの両側から下方向に延びる縦フレームと、
上記各縦フレームを支持するとともに、左右外側に横方向に夫々延びた左右フレームとを備え、
上記左右フレームを上記ユニットバスの天井面に載置することで、上記浴室暖房乾燥機を上記開口部に臨ませることを特徴とする浴室暖房乾燥機の取付装置。
【請求項２】
上記左右フレームは、その先端が上記ユニットバスの天井面の両端まで形成され、かつ、中央側ほど上方に持ち上がっていることを特徴とする請求項１記載の浴室暖房乾燥機の取付装置。
【発明の詳細な説明】
【技術分野】
【０００１】
本発明は、ユニットバスの天井裏に設けられる浴室暖房乾燥機の取付装置に関する。
【背景技術】
【０００２】
従来から、ユニットバスの天井裏に浴室暖房乾燥機を設けたものが知られている。この浴室暖房乾燥機（以下、乾燥機本体と呼ぶ）は、マンション等の建築物の施工と並行して設置されるもので、図４に示すように、コンクリートスラブに埋設されたインサートＩＮに４本の吊りボルトＢＯを挿入し、この吊りボルトＢＯにより吊り下げ支持される。
この場合、乾燥機本体１の吸込口、吹出口を設けた面（以下、単に送風面２と呼ぶ）をユニットバスＵＢの天井面ＣＥに設けられた開口部ＯＰに臨ませ、下からフロントカバー３（化粧カバー）をあてがってビスＳＣにより乾燥機本体１に取付ける。このとき、フロントカバー３の周縁がユニットバス天井面ＣＥの開口部ＯＰ周縁に押し当てられ、両者間に隙間ができないようになっている。
【特許文献１】特開平９−２６４５５２号公報
【発明の開示】
【発明が解決しようとする課題】
【０００３】
しかしながら、吊りボルトＢＯとユニットバスＵＢの天井開口部ＯＰとの位置がずれてしまうケースが結構あり、こうしたケースでは、乾燥機本体１を天井開口部ＯＰの所定の位置に設置できないという問題が生じていた。
また、位置ずれの程度が少なく、乾燥機本体１を天井面開口ＯＰになんとか臨ませることができたとしても、フロントカバー３が天井面開口ＯＰを覆いきれず隙間を生じてしまうこともあった。
また、位置ずれを補正するために、図５に示すように、吊りボルトＢＯ間を水平アングルＡＮで井桁状に連結し、この水平アングルＡＮから別の吊りボルトＢＯ１を降ろして乾燥機本体１を取付けるように調整する方法もあるが、施工性が悪く、しかも材料費も嵩んでしまう。
こうした問題を解決するためには、インサートＩＮの正確な寸法出し、各業者（建築業者、浴室設置業者、機器設置業者）間の綿密な打合せ等を必要とするが、実際の建築現場においては非常に難しいことであった。
本発明の浴室暖房乾燥機取付装置は上記課題を解決し、ユニットバスへの設置性の向上を目的とする。
【課題を解決するための手段】
【０００４】
上記課題を解決する本発明の請求項１記載の浴室暖房乾燥機の取付装置は、
ユニットバスの天井面に形成された開口部に臨ませて、該ユニットバスの天井裏に浴室暖房乾燥機を設置する浴室暖房乾燥機の取付装置において、
浴室暖房乾燥機本体を吊り下げる水平フレームと、
上記水平フレームの両側から下方向に延びる縦フレームと、
上記各縦フレームを支持するとともに、左右外側に横方向に夫々延びた左右フレームとを備え、
上記左右フレームを上記ユニットバスの天井面に載置することで、上記浴室暖房乾燥機を上記開口部に臨ませることを要旨とする。
【０００５】
上記課題を解決する本発明の請求項２記載の浴室暖房乾燥機の取付装置は、上記請求項１記載の浴室暖房乾燥機の取付装置において、
上記左右フレームは、その先端が上記ユニットバスの天井面の両端まで形成され、かつ、中央側ほど上方に持ち上がっていることを要旨とする。
【発明の効果】
【０００６】
上記構成を有する本発明の請求項１記載の浴室暖房乾燥機の取付装置によれば、浴室暖房乾燥機本体は、建築構造物に支えられるのではなく、左右フレームをユニットバスの天井面に載置することで水平フレームに吊り下げられた状態で設置される。つまり、フレームごとユニットバスの天井面に載置設置される。
従って、乾燥機本体とユニットバス天井開口部との位置合せは、フレームごとユニットバス天井面上をスライド移動させるだけで簡単に行なうことができる。しかも、微調整も容易であるため、乾燥機の送風面をユニットバス天井開口部に正確に配置することができ、開口部を確実にフロントカバーで覆うことができる。
このため、建設現場における設置位置に関する打合せ、インサートの正確な寸法出し等が不要となり、また、位置ずれ時の補正作業も不要となり、施工性が非常に向上する。
【０００７】
上記構成を有する本発明の請求項２記載の浴室暖房乾燥機の取付装置によれば、左右フレームは、ユニットバスの天井面の両端にまで延びて形成されているため、ユニットバスの外枠を形成する骨組に安定して載置支持される。しかも、その中央側ほど上方に持上がって形成されているため、フレームが機器重量により下方に撓んでも、天井面に加わる荷重は天井両端部に平均的に分散され、天井開口部には大きな荷重が加わらない。
このため、従来の様に乾燥機本体を建築構造物に吊設しなくても、ユニットバス天井面に問題なく載置できる。
【発明を実施するための最良の形態】
【０００８】
以上説明した本発明の構成・作用を一層明らかにするために、以下本発明の浴室暖房乾燥装置の取付装置の好適な実施例について説明する。
【実施例１】
【０００９】
図１〜図３に示すように、浴室暖房乾燥装置の取付装置１０（以下、単に取付装置１０と呼ぶ）は、浴室暖房乾燥機の本体（以下、乾燥機本体１と呼ぶ）を吊り下げた状態でユニットバス天井面ＣＥに載置するもので、大別すると、乾燥機本体１の手前側を支える前方フレーム部２０と、後ろ側を支える後方フレーム部３０と、両フレーム部２０，３０を連結する連結フレーム部４０とからなる。
【００１０】
前方フレーム部２０と後方フレーム部３０とは同一の形状であり、それぞれ、乾燥機本体１を吊り下げる水平フレーム２１（３１）と、水平フレーム２１（３１）の両側を支える縦フレーム部２２（３２）と、縦フレーム部２２（３２）を支持し左右に横方向に延びた左右フレーム２３（３３）とから構成される。
尚、前方フレーム部２０と後方フレーム部３０とは同一の形状であるため、以下の説明においては、前方フレーム部２０の説明をもって後方フレーム３０の説明に代える。
【００１１】
縦フレーム部２２は、水平フレーム２１の両端から斜め下方に延びた傾斜フレーム２２ａと、やや内側から真下に延びた鉛直フレーム２２ｂとから構成される。
本実施例では、断面コ字状の金属フレームを使用し、その途中を曲折することにより、左右フレーム２３と鉛直フレーム２２ｂとを一本の金属フレームから形成する。また、水平フレーム２１においても、その左右両側を所定角度で曲折することにより一本の金属フレームで傾斜フレーム２２ａをも一体形成している。
連結フレーム部４０は、前方フレーム部２０と後方フレーム部３０とを乾燥機本体１の奥行方向の距離だけ隔てて連結するもので、断面Ｖ字状の金属板を使用し、左右フレーム２３と傾斜フレーム２２ａとの接続点にその両端が溶接される。
【００１２】
各左右フレーム２３は、図２に示すように、それぞれ中央側ほど僅かに持上がるように形成される。つまり、各左右フレーム２３の両外側端を結んでできる直線Ｌに対して、各フレーム２３の形成面が所定角度θだけ中央に向かって斜め上方向に傾斜して組み立てられる。また、各左右フレーム２３の長さは、その外側端がユニットバス天井面ＣＥの両端に達する長さに形成される。
【００１３】
水平フレーム２１には、左右にそれぞれ長尺ボルト４０がナット４１で抜け止めされて溶接固定される。この長尺ボルト４０は、下方向に向かって延び、乾燥機本体１に設けられた取付片４の貫通孔５に挿通される。
乾燥機本体１は、取付片４を上下からでゴムブッシュ４２およびワッシャー４３を介してナット４４により挟着することにより長尺ボルト４０に固定され、この結果、水平フレーム２１に安定して吊り下げられる。従って、このナット４４の締付位置を調整することで、乾燥機本体１の高さ位置が調整可能となっている。
【００１４】
乾燥機本体１は、このように取付装置１０に吊り下げられた状態で、ユニットバスＵＢの天井面ＣＥに載置される。
そして、乾燥機本体１の送風面２をユニットバスＵＢの天井面ＣＥに形成された開口部ＯＰに臨ませ、その下側からフロントカバー３（化粧プレート）を天井面ＣＥの開口ＯＰ周縁を挟んであてがい、ビスＳＣで乾燥機本体１に締めつけることにより、フロントカバー３の周縁が天井開口部ＯＰ周縁に押し当てられ、乾燥機本体１が天井開口部ＯＰに固定されて取付け作業が完了する。
【００１５】
この際、左右フレーム２３は、ユニットバスＵＢの天井面ＣＥに載置されることとなるが、フレーム外側端がユニットバス天井面ＣＥの両端まで延びているため、ユニットバスＵＢの外枠（図示しない骨組）の上に安定載置される。
しかも、その中央側ほど上方に持上がって形成されているため、フレーム全体が乾燥機重量により下方に撓んでも、天井面ＣＥに加わる荷重は天井両端部に平均的に分散され、天井開口部ＯＰには大きな荷重が加わらない。
【００１６】
このため、従来の様に乾燥機本体１を建築構造物に吊設しなくても、ユニットバス天井面ＣＥに問題なく載置できる。
また、乾燥機本体１の取付位置の調整も、取付装置１０ごとユニットバスＵＢの天井面ＣＥをスライド移動させるだけで行なうことができ非常に簡単である。このため、乾燥機本体１の送風面２を天井開口部ＯＰに正確に臨ませることができ、フロントカバー３がずれて天井開口部ＯＰが見えてしまうといった不具合もない。
従って、建設現場における設置位置に関する打合せ、インサートの正確な寸法出し等が不要となる。また、インサートの位置ずれを補正するために余分なアングル組立て作業も必要なく、施工面、材料面においても有効である。
【００１７】
以上本発明の実施例について説明したが、本発明はこうした実施例に何等限定されるものではなく、本発明の要旨を逸脱しない範囲において、種々なる態様で実施し得ることは勿論である。
例えば、本実施例では、傾斜フレーム２２ａと鉛直フレーム２２ｂとで縦フレームを構成しているが、これに限ったものでなく、いずれか一方だけにしてもよい。
また、乾燥機本体１の設置方法としては、乾燥機本体１を取付装置１０に取付けておいてから、そのままユニットバス天井面ＣＥに載置する方法でもよいし、取付装置１０のみをユニットバス天井面ＣＥに載置しておき、乾燥機本体１を天井開口部ＯＰから挿入して取付装置１０に吊り下げるようにしてもよい。
また、本実施例では、乾燥機本体１を前方フレーム部２０と後方フレーム部との２列のフレームで支えているが、中央１列のフレームで支えるようにしてもよいし、前後中央等３列以上のフレームで支えてもかまわない。
【産業上の利用可能性】
【００１８】
ユニットバスの天井面開口に送風面を臨ませた浴室暖房乾燥機の取付けに適用可能である。
【図面の簡単な説明】
【００１９】
【図１】実施例１としての取付装置の概略斜視図である。
【図２】実施例１としての取付装置の正面図である。
【図３】実施例１としての乾燥機本体のユニットバスへの取付け状態を表わす説明図である。
【図４】従来例としての乾燥機本体のユニットバスへの取付け状態を表わす説明図である。
【図５】従来例としての乾燥機本体のユニットバスへの取付け状態を表わす説明図である。
【符号の説明】
【００２０】
１…浴室暖房乾燥機本体
１０…取付装置
２１、３１…水平フレーム
２２、３２…縦フレーム部
２３、３３…左右フレーム
４０…長尺ボルト
ＵＢ…ユニットバス
ＣＥ…天井面
ＯＰ…開口部  
【図１】
2005133960.tif 000003
【図２】
2005133960.tif 000004
【図３】
2005133960.tif 000005
【図４】
2005133960.tif 000006
【図５】
2005133960.tif 000007